(57)【特許請求の範囲】
【請求項１】
侵入監視領域の一方に光源を、他方にビデオセンサを設置し、前記ビデオセンサで監視している前記光源の像が消えた時に侵入者ありと判別する侵入監視装置において、周囲の明るさを検出する照度センサと、この照度センサの出力があらかじめ設定された夕方照度に対して大きいか否かを判別する第１の比較手段と、前記照度センサの出力があらかじめ設定された夜間照度に対して大きいか否かを判別する第２の比較手段と、前記第１及び第２の比較手段の出力により、前記光源を、周囲の明るさが明るいときは明るく、夜間は暗く、夕方はその中間の明るさとなるように制御する光源照度制御手段を備えたことを特徴とする侵入監視装置における光源照度自動制御装置。
【請求項２】
光源をＬＥＤとし、光源照度制御手段により、ＬＥＤの通電電流を制御する請求項１記載の侵入監視装置における光源照度自動制御装置。
【発明の詳細な説明】
【０００１】
【発明の属する技術分野】
本発明は、敷地や設備内に不審者が侵入することを監視する侵入監視装置に関し、特にその光源照度自動制御装置に関するものである。
【０００２】
【従来の技術】
本出願人が先に提案した特開平４−１７５９９８号公報には、監視区域を撮像する撮像手段と、この撮像手段からの映像信号に予め定められた値以上のレベル変化があったか否かを検出するレベル変化検出手段とを有する監視装置において、図４（ａ）に示すように、監視領域を隔てて撮像手段（カメラ）１１に対向配置され、撮像手段１１に向かう光ビームを発生する光源１２を有する監視装置が開示されている。
【０００３】
【発明が解決しようとする課題】
ところが、前記従来の撮像装置では、図５に示すように、昼間（ａ）に比べて夜間（ｂ）は光源径が大きくなり、光源周囲が明るくなるが、マーカは光源内に収まるため、問題とならないが、識別するための映像に影響が出る。
【０００４】
すなわち、図６において、「昼」は光源がレンズ径と同等のため識別に問題はなく、「夕方」の上の方も人が位置する分は問題とならないが、「夕方」の下の方のように人がポールに重なろうとすると光源が明るすぎるようになり、ハレーションを起こして識別困難な映像となる。次に、「夜間」は「夕方」よりはるかに大きい光源しか映らなくなる。それは、図７に示すようにカメラ１１のＥＥレンズ１４が光源により自動的に絞られ、周囲が暗くなるため、監視対象である人物は照度不足で映らない。
【０００５】
このため、図４（ｂ）に示すように、夜間の侵入検知時に被写体照度を上げるために照明１３を設けることが考えられるが、夜間のハレーション状況下の照明は光源周囲をより明るくするため、なおさら識別困難な映像となる。
【０００６】
そこで、本発明が解決すべき課題は、夜間侵入者を識別できる映像にするため、光源照度を低下させ、なおかつビデオセンサ検知に影響しない光源を提供することにある。
【０００７】
【課題を解決するための手段】
前記課題を解決するため、本発明の侵入監視装置における光源照度自動制御装置は、侵入監視領域の一方に光源を、他方にビデオセンサを設置し、前記ビデオセンサで監視している前記光源の像が消えた時に侵入者ありと判別する侵入監視装置において、周囲の明るさを検出する照度センサと、この照度センサの出力があらかじめ設定された夕方照度に対して大きいか否かを判別する第１の比較手段と、前記照度センサの出力があらかじめ設定された夜間照度に対して大きいか否かを判別する第２の比較手段と、前記第１及び第２の比較手段の出力により、前記光源を、周囲の明るさが明るいときは明るく、夜間は暗く、夕方はその中間の明るさとなるように制御する光源照度制御手段を備えたものである。
【０００８】
【発明の実施の形態】
実験によると、図２に示すように夕方は３０ルクスで光源の照度を第１段階切替え、夜間は５ルクス切替えで、距離に応じて照度を微調整することで、ハレーションを解消できる。
【０００９】
夕方はハレーション気味が抑えられ、識別可能な映像となる。夜間は完全にハレーションが抑えられ、ＥＥレンズ１４が開くことで、人の識別が可能となる。通常、カメラは距離に応じてＥＥレンズ１４を選択している。
【００１０】
以下、本発明の実施例について具体的に説明する。
図１は本発明の実施例を示す回路図であり、図中１は光源として使用するＬＥＤ、２は集光レンズ、３及び４は第１及び第２の比較器、５はＬＥＤドライブ用トランジスタ、６及び７はＬＥＤ照度調整用トランジスタ、８は周囲の照度を検出するＣｄＳである。本回路では、ＣｄＳ８の検出電圧と比較して、昼→夕方→夜と回路を切り替えてＬＥＤ１の電流を加減するようにしている。また、アンプ９、１０で照度カーブに応じて電流を微小加減もできる。
【００１１】
以下、図１を参照しながら周囲照度の各場合における動作を説明する。
【００１２】
（１）昼間（朝も含む）
第１及び第２の比較器３及び４のＣｄＳ検出電圧は夕方比較電圧及び夜間比較電圧の両方の電圧よりも高いので、第１及び第２の比較器３及び４の出力電圧は”Ｌ（ローレベル）”であり、ＬＥＤ照度調整用トランジスタ６及び７のコレクタは”Ｈ（ハイレベル）”となるため、ＬＥＤドライブ用トランジスタ５のベースは”Ｈ”が保たれ、電流は−の経路で最大電流が流れる。これにより、ＬＥＤ１は最大照度で発光する。
【００１３】
（２）夕方（早朝を含む）
周囲照度が予め設定された「夕方比較電圧」に達すると、第１の比較器３が作動し、ＬＥＤ照度調整用トランジスタ６のコレクタが”Ｈ”から”Ｌ”に転じ、同トランジスタ６がオンとなり、ＬＥＤドライブ用トランジスタ５がオフとなる。ＬＥＤ１にはＬＥＤ照度調整用トランジスタ６のコレクタ電流が−の経路で中程度の電流が流れる。なお、第１のアンプ９で夕方から夜間の照度低下に応じて電流を加減している。
【００１４】
（３）夜間
周囲照度が予め設定された「夜間比較電圧」（＜夕方比較電圧）に達すると、第２の比較器４が作動し、ＬＥＤ照度調整用トランジスタ６のコレクタが”Ｌ”になり、同トランジスタ６がオンとなり、ＬＥＤドライブ用トランジスタ５がオフとなる。同時に、ダイオードＤ３→抵抗Ｒ２経由で第１の比較器３がオフし、ＬＥＤ１にはＬＥＤ照度調整用トランジスタ７のコレクタ電流が−の経路で最小電流が流れる。なお、第２のアンプ１０で夜間から早朝間の照度上昇に応じて電流を加減している。
【００１５】
なお、夕方用及び夜間用のＬＥＤ１の照度は、可変抵抗器ＶＲ１及びＶＲ２で調整することができる。
【００１６】
このようにして、図３に示すように、従来（ａ）では光源の光でハレーションを起こして人物が撮像できなかったのに対し、（ｂ）に示すように夕方、夜間の照度を調節することで、人物の監視が可能となる。
【００１７】
なお、本発明の装置において、照明を起動すれば、照明により被写体が照らされるので、ビデオカメラの映像から、侵入者の識別が容易となる。
【００１８】
【発明の効果】
上述したように、本発明によれば下記の効果を奏する。
（１）  周囲照度に応じて光源電流を加減することで、撮像装置の映像のハレーションを抑えることができ、本来のＥＥレンズの自動絞り効果で、識別容易な映像を得ることができる。
（２）  上記動作中に照明を起動すると、本来の照明効果で、識別容易な映像を得ることができる。
（３）  中間は光源による高輝度部を確保するために最大定格電流を必要とするが、夜間は１／１０程度の電流で済むため、省エネ効果がある。
（４）  昼間の光源径を夜間まで一定に保つことにより、ビデオカメラなどの撮像装置の安定した検知が可能となる。
【図面の簡単な説明】
【図１】本発明の実施例を示す回路図である。
【図２】昼間から夜間にかけての周囲照度の変化を示すグラフである。
【図３】従来に対する本発明の改善効果を示す説明図である。
【図４】従来の監視装置の概略説明図である。
【図５】撮像装置における光源の像の説明図である。
【図６】従来における監視画像の例を示す説明図である。
【図７】カメラ構成の概略図である。
【符号の説明】
１  光源（ＬＥＤ）、２  集光レンズ、３  第１の比較器、４  第２の比較器、５  ＬＥＤドライブ用トランジスタ、６，７  ＬＥＤ照度調整用トランジスタ、８  ＣｄＳ、９  第１のアンプ、１０  第２のアンプ
【図１】
0003565456.tif 000002
【図２】
0003565456.tif 000003
【図３】
0003565456.tif 000004
【図４】
0003565456.tif 000005
【図５】
0003565456.tif 000006
【図６】
0003565456.tif 000007
【図７】
0003565456.tif 000008